(57)【特許請求の範囲】
【請求項１】
予め登録された携帯端末のユーザの登録画像を保持する登録画像保持部と、
前記携帯端末との間の接続が確立している間、ユーザの動画像を受信し続ける通信制御部と、
該通信制御部が受信した動画像から複数の静止画像を取得し、該複数の静止画像と前記登録画像保持部が保持する登録画像とを照合することにより前記ユーザの認証を行う認証処理部と
を備え、
前記認証処理部は、前記認証を開始する開始条件に基づいて認証が必要になったとき、前記受信され続けている動画像のなかから複数の静止画像を取得し、該複数の静止画像と前記登録画像保持部が保持する登録画像とを照合することを特徴とする認証システム。
【請求項２】
前記登録画像保持部は、前記ユーザを識別する識別データと前記登録画像とを対応付けて保持し、
前記通信制御部は、前記動画像と前記識別データを受信し、
前記認証処理部は、前記動画像と前記登録画像及び前記受信した識別データと前記登録画像保持部が保持する識別データを照合することにより前記認証を行うことを特徴とする請求項１に記載の認証システム。
【請求項３】
前記認証処理部は、前記認証の要求を受け付け、該受け付けた要求に基づいて、前記認証を行うことを特徴とする請求項１又は２に記載の認証システム。
【請求項４】
前記認証処理部は、前記動画像と前記登録画像の照合結果が前記ユーザと認められない結果の場合に、再度認証を行う際に前記受信され続けている動画像のなかから複数の静止画像を取得し、該複数の静止画像を用いて再度認証を行うことを特徴とする請求項１乃至３のいずれか１項に記載の認証システム。
【請求項５】
前記通信制御部は、前記携帯端末から送信される前記登録画像を受信し、
前記通信制御部が受信した登録画像を、前記登録画像保持部に登録する登録処理部を備えることを特徴とする請求項１乃至４のいずれか１項に記載の認証システム。
【請求項６】
前記通信制御部は、前記携帯端末から送信される前記登録画像及び前記識別データを受信し、
前記登録処理部は、前記通信制御部が受信した識別データと前記登録画像とを対応付けて、前記登録画像保持部に登録することを特徴とする請求項５に記載の認証システム。
【請求項７】
携帯端末のユーザの認証を行う認証システムが、予め登録された前記ユーザの登録画像を保持し、
前記認証システムが、前記携帯端末との間の接続が確立している間、ユーザの動画像を受信し続け、
前記認証システムは前記認証を開始する開始条件を保持しており、前記開始条件に基づいて認証が必要になったとき、前記受信し続けている動画像のなかから複数の静止画像を取得し、該複数の静止画像と前記登録画像とを照合することにより前記ユーザの認証を行うことを特徴とする認証方法。
【請求項８】
前記認証システムは、前記ユーザを識別する識別データと前記登録画像とを対応付けて保持し、
前記認証システムは、前記動画像と前記識別データを受信し、
前記動画像と前記登録画像及び前記受信した識別データと前記保持する識別データを照合することにより前記認証を行うことを特徴とする請求項７に記載の認証方法。
【請求項９】
前記認証システムは、前記認証の要求を受け付け、該受け付けた要求に基づいて、前記認証を行うことを特徴とする請求項７又は８に記載の認証方法。
【請求項１０】
前記認証システムは、前記動画像と前記登録画像の照合結果が前記ユーザと認められない結果の場合に、再度認証を行う際に前記受信し続けている動画像のなかから複数の静止画像を取得し、該複数の静止画像を用いて再度認証を行うことを特徴とする請求項７乃至９のいずれか１項に記載の認証方法。
【請求項１１】
前記認証システムは、前記携帯端末から送信された前記登録画像を受信し、
前記受信した登録画像を、前記認証システムに登録することを特徴とする請求項７乃至１０のいずれか１項に記載の認証方法。
【発明の詳細な説明】
【０００１】
【発明の属する技術分野】
本発明は、認証システム、携帯端末及び認証方法に関する。
【０００２】
【従来の技術】
従来、認証システムに予め登録された数字や文字からなるパスワードと、認証時に携帯端末から認証システムに送信されるパスワードとを照合することにより、携帯端末のユーザを認証する認証システムがある。又、認証を受ける対象者が認証を受ける場所毎に、その対象者を撮影するカメラを設置し、そのカメラが撮影した画像を用いて認証を行う認証システムがある（例えば、特許文献１参照）。
【０００３】
【特許文献１】
特開２００１−１６９２２８号公報
【０００４】
【発明が解決しようとする課題】
しかしながら、パスワードを用いる従来の認証システムでは、携帯端末やパスワードを第三者に盗まれた場合、その携帯端末やパスワードが悪用されるおそれがあった。そのため、従来の認証システムは、安全性が低かった。又、認証を受ける場所毎にカメラを設置する従来の認証システムでは、カメラを設置した特定の場所でしか認証を行うことができなかった。
【０００５】
そこで、本発明は、安全性が高く、認証の対象者が存在する場所を問わずに画像を用いた認証を行うことができる認証システム及び認証方法を提供することを目的とする。
【０００６】
【課題を解決するための手段】
本発明に係る認証システムは、予め登録された携帯端末のユーザの登録画像を保持する登録画像保持部と、携帯端末から送信されるユーザの動画像を受信する通信制御部と、通信制御部が受信した動画像と登録画像保持部が保持する登録画像とを照合することによりユーザの認証を行う認証処理部とを備える。
【０００７】
このような認証システムによれば、登録画像保持部が、予め登録された携帯端末のユーザの登録画像を保持する。又、通信制御部が、携帯端末から送信されたユーザの動画像を受信する。そして、認証処理部が、通信制御部が受信した動画像と登録画像保持部が保持する登録画像とを照合することによりユーザの認証を行う。
【０００８】
そのため、認証システムは、携帯端末から送信されるユーザの動画像を用いて、確実にユーザ本人であるか否かを判断できる。よって、認証システムは、非常に安全性が高く、携帯端末を第三者によって悪用されることを防止できる。更に、通信制御部は、携帯端末から送信された動画像を受信する。そのため、認証システムは、認証の対象者が存在する場所を問わずに画像を用いた認証ができる。
【０００９】
又、通信制御部は、携帯端末との間の接続が確立している間、動画像を受信することが好ましい。これによれば、認証処理部は、常に、ユーザの認証を行うことができる。よって、認証システムは、携帯端末が、認証システムに接続してきた時だけでなく、その後も、ユーザ本人であるか否かを確認することができる。そのため、認証システムは、接続時に、ユーザ本人であると認められた場合であっても、接続時の画像が第三者に盗まれることにより、その後の操作を、第三者によって行われてしまうことを防止できる。又、認証システムが認証を行いたい時に、いつでも認証を行うことができる。
【００１０】
又、登録画像保持部は、ユーザを識別する識別データと登録画像とを対応付けて保持し、通信制御部は、動画像と識別データを受信し、認証処理部は、動画像と登録画像及び受信した識別データと登録画像保持部が保持する識別データを照合することにより認証を行うことが好ましい。これによれば、認証処理部は、動画像と登録画像の照合だけでなく、識別データについても照合することができる。よって、認証システムは、より正確な認証を行うことができ、安全性を向上できる。
【００１１】
更に、認証システムは、認証を開始する開始条件を保持する開始条件保持部を備え、認証処理部は、開始条件保持部が保持する開始条件に基づいて、認証を行うことが好ましい。これによれば、認証システムは、予め定められた認証を開始する開始条件に従って、自動的に認証を開始することができる。又、認証処理部は、認証の要求を受け付け、受け付けた要求に基づいて認証を行うようにしてもよい。これによれば、認証システムは、認証の要求に応じて、認証を行うことができる。
【００１２】
又、認証処理部は、動画像と登録画像の照合結果がユーザと認められない結果の場合に、再度認証を行い、その際に通信制御部が受信した動画像を用いて再度認証を行うことが好ましい。これによれば、認証システムは、照合結果がユーザと認められない結果の場合に再度認証を行うことができる。しかも、認証システムは、再度認証を行う際に受信した動画像を用いて認証を行うため、再度認証を行う際に確実にユーザ本人であるかを確認できる。そのため、認証システムは、例えば、接続時に、ユーザ本人であると認められた場合であっても、接続時の画像が第三者に盗まれることにより、その後の操作を、第三者によって行われてしまうことを防止できる。
【００１３】
又、認証処理部は、通信制御部が受信した動画像から静止画像を取得し、その取得した静止画像と登録画像とを照合することが好ましい。これによれば、認証処理部は、動画像から取得した静止画像を用いて精度良く認証を行うことができる。
【００１４】
更に、通信制御部は、携帯端末から送信される登録画像を受信し、認証システムは、通信制御部が受信した登録画像を、登録画像保持部に登録する登録処理部を備えることが好ましい。これによれば、認証システムは、登録画像の登録処理を行うことができる。又、通信制御部は、携帯端末から送信される登録画像及び識別データを受信し、登録処理部は、通信制御部が受信した識別データと登録画像とを対応付けて、登録画像保持部に登録することが好ましい。これによれば、認証システムは、登録画像と共に、識別データを登録しておくことができ、第三者の不正をより困難にできる。
【００１５】
本発明に係る携帯端末は、携帯端末のユーザの動画像を取得する動画像取得部と、動画像取得部が取得した動画像を、ユーザの認証を行う認証システムに送信する通信制御部とを備えることを特徴とする。このような携帯端末によれば、画像取得部が、ユーザの動画像を取得する。そして、通信制御部が、画像取得部が取得した動画像を認証システムに送信する。そのため、携帯端末は、携帯端末から送信されるユーザの動画像を用いて認証を行う認証システムによる認証を受けることができる。よって、携帯端末のユーザは、携帯端末を第三者によって悪用されることを防止できる。又、携帯端末のユーザは、自分の位置する場所を問わずに画像を用いた認証を受けることができる。
【００１６】
又、通信制御部は、認証システムとの間の接続が確立している間、動画像を送信することが好ましい。これによれば、携帯端末は、認証システムが認証や再認証を行う時に、認証システムからの要求を受けて何らかの操作を行う必要がない。又、携帯端末は、認証システムによって、常に、ユーザの認証を受けることができる。そのため、携帯端末は、認証システムに接続した時だけでなく、その後も、ユーザ本人であるか否かを確認してもらうことができる。そのため、認証システムは、接続時に、ユーザ本人であると認められた場合であっても、接続時の画像が第三者に盗まれることにより、その後の操作を、第三者によって行われてしまうことを防止できる。
【００１７】
更に、携帯端末は、認証システムに登録するユーザの登録画像を取得する登録画像取得部を備え、通信制御部は、登録画像取得部が取得した登録画像を認証システムに送信することが好ましい。これによれば、携帯端末は、登録画像の登録処理を行うことができる。
【００１８】
又、本発明に係る認証方法は、携帯端末のユーザの認証を行う認証システムが、予め登録された前記ユーザの登録画像を保持し、認証システムが、携帯端末から送信された該携帯端末のユーザの動画像を受信し、受信した動画像と登録画像とを照合することによりユーザの認証を行うことを特徴とする。このような認証方法によれば、認証システムが、携帯端末から送信されるユーザの動画像を用いて、確実にユーザ本人であるか否かを判断できる。よって、この認証方法は、非常に安全性が高く、携帯端末を第三者によって悪用されることを防止できる。更に、この認証方法によれば、認証の対象者が存在する場所を問わずに画像を用いた認証ができる。
【００１９】
又、認証システムは、携帯端末との間の接続が確立している間、動画像を受信することが好ましい。更に、認証システムは、ユーザを識別する識別データと登録画像とを対応付けて保持し、認証システムは、動画像と識別データを受信し、動画像と登録画像及び受信した識別データと保持する識別データを照合することにより認証を行うことが好ましい。
【００２０】
又、認証システムは、認証を開始する開始条件を保持し、認証システムは、保持する開始条件に基づいて、認証を行うようにしてもよい。又、認証システムは、認証の要求を受け付け、受け付けた要求に基づいて、認証を行うようにしてもよい。
【００２１】
更に、認証システムは、動画像と登録画像の照合結果がユーザと認められない結果の場合に、再度認証を行う際に受信した動画像を用いて再度認証を行うことが好ましい。又、認証システムは、受信した動画像から静止画像を取得し、該取得した静止画像と登録画像とを照合するようにしてもよい。更に、認証システムは、携帯端末から送信された登録画像を受信し、受信した登録画像を認証システムに登録することが好ましい。
【００２２】
【発明の実施の形態】
以下、図面を参照して本発明の実施の形態について説明する。
【００２３】
（認証システム）
以下、図面を参照して、本発明の実施の形態を説明する。図１に示すように、認証システム１は、携帯端末１００と、移動通信ネットワーク２００と、認証サーバ３００と、ネットワーク２１０と、サーバ２１１とを備える。
【００２４】
携帯端末１００は、移動通信ネットワーク２００を介して、認証サーバ３００やサーバ２１１と通信する。携帯端末１００は、図１に示すように、端末側処理部１１０と、入力部１２０と、画像取得部１３０と、音声取得部１４０と、記憶部１５０と、通信制御部１６０と、表示部１７０とを備える。又、端末側処理部１１０は、端末側登録処理部１１１と、端末側認証処理部１１２とを備える。携帯端末１００は、例えば、携帯電話、ＰＨＳ（Personal  Handy phone  System）、ＰＤＡ（Personal  Digital  Assistants）、ノート型パーソナルコンピュータ等である。
【００２５】
画像取得部１３０は、携帯端末１００のユーザの動画像を取得する動画像取得部である。又、画像取得部１３０は、認証サーバ３００に登録するユーザの登録画像を取得する登録画像取得部としても機能する。
【００２６】
画像取得部１３０は、認証サーバ３００による認証時に、ユーザの動画像を取得する。又、画像取得部１３０は、認証サーバ３００に登録画像を登録する時に、登録画像としてユーザの静止画像又は動画像を取得する。画像取得部１３０は、ユーザを認証可能な動画像や静止画像を取得する。例えば、画像取得部１３０は、ユーザの顔の動画像や静止画像を取得する。
【００２７】
画像取得部１３０は、認証時には、携帯端末１００と認証サーバ３００との間の接続が確立している間、ユーザのリアルタイムの動画像を取得し続ける。そして、画像取得部１３０は、取得したリアルタイムの動画像を、端末側認証処理部１１２に入力し続ける。又、画像取得部１３０は、登録画像の登録時には、取得したユーザの静止画像又は動画像を、端末側登録処理部１１１に入力する。画像取得部１３０としては、例えば、ＣＣＤ(Charge Coupled Device)を用いたディジタルカメラ等を用いることができる。
【００２８】
端末側処理部１１０は、携帯端末１００における各種の処理を行う。まず、端末側認証処理部１１２が、認証サーバ３００による認証に関する処理を行う。具体的には、端末側認証処理部１１２は、画像取得部１３０から入力される動画像を、通信制御部１６０が移動通信ネットワーク２００を介して送信可能な信号に変換する。端末側認証処理部１１２は、変換した動画像の信号を通信制御部１６０に入力する。端末側認証処理部１１２は、画像取得部１３０から、認証時に携帯端末１００と認証サーバ３００との間の接続が確立している間、ユーザのリアルタイムの動画像が入力される。そのため、端末側認証処理部１１２は、携帯端末１００と認証サーバ３００との間の接続が確立している間、動画像を変換し、通信制御部１６０に入力し続ける。
【００２９】
このとき、端末側認証処理部１１２は、記憶部１５０からユーザの識別データを取得する。そして、端末側認証処理部１１２は、変換した動画像の信号と共に、識別データを通信制御部１６０に入力する。識別データは、ユーザを識別可能なデータであればよい。例えば、識別データには、携帯端末１００の電話番号や、文字や数字からなるユーザＩＤがある。
【００３０】
又、端末側登録処理部１１１は、認証サーバ３００への登録画像の登録に関する処理を行う。具体的には、端末側登録処理部１１１は、画像取得部１３０から入力される登録画像である静止画像又は動画像を、通信制御部１６０が移動通信ネットワーク２００を介して送信可能な信号に変換する。端末側登録処理部１１１は、変換した登録画像の信号を通信制御部１６０に入力する。尚、端末側登録処理部１１１は、入力部１２０から入力されるユーザの操作に従って、画像取得部１３０から入力される静止画像又は動画像を取得する。
【００３１】
このとき、端末側登録処理部１１１は、記憶部１５０からユーザの識別データを取得する。そして、端末側登録処理部１１１は、変換した登録画像と共に、識別データを通信制御部１６０に入力する。又、端末側登録処理部１１１は、画像取得部１３０から入力された登録画像を、記憶部１５０に格納する。そして、端末側登録処理部１１１は、登録画像を再送する場合等、必要に応じて、記憶部１５０から登録画像を取得して信号に変換し、通信制御部１６０に入力する。
【００３２】
尚、端末側登録処理部１１１と端末側認証処理部１１２とは独立に動作する。そのため、端末側登録処理部１１１と端末側認証処理部１１２とは、異なる携帯端末に設けてもよい。又、携帯端末１００は、少なくとも端末側認証処理部１１２を備えればよい。よって、端末側登録処理部１１１は、携帯端末１００以外のコンピュータシステムに設けるようにしてもよい。
【００３３】
更に、端末側処理部１１０は、入力部１２０から入力されるユーザ操作に従った処理を行う。又、端末側処理部１１０は、音声取得部１４０から入力される音声を、通信制御部１６０が移動通信ネットワーク２００を介して送信可能な信号に変換する。端末側処理部１１０は、変換した音声の信号を通信制御部１６０に入力する。又、端末側処理部１１０は、必要に応じて、音声取得部１４０から入力される音声を記憶部１５０に格納する。又、端末側処理部１１０は、画像取得部１３０から入力される動画像や静止画像を、表示部１７０に出力する。又、端末側処理部１１０は、通信制御部１６０から入力される認証サーバ３００やサーバ２１１からの通知を、表示部１７０に出力する。又、端末側処理部１１０は、ユーザに対するデータの入力やデータの確認等の指示を表示部１７０に出力する。
【００３４】
通信制御部１６０は、移動通信ネットワーク２００を介して、認証サーバ３００やサーバ２１１と通信を行う。通信制御部１６０は、認証サーバ３００との間に接続を確立して通信を行う。
【００３５】
通信制御部１６０は、画像取得部１３０が取得した動画像を、認証サーバ３００に送信する。具体的には、通信制御部１６０は、画像取得部１３０が取得した動画像を端末側認証処理部１１２が変換した信号を送信する。通信制御部１６０は、認証時に携帯端末１００と認証サーバ３００との間の接続が確立している間、端末側認証処理部１１２から、リアルタイムの動画像の信号が入力される。そのため、通信制御部１６０は、携帯端末１００と認証サーバ３００との間の接続が確立している間、リアルタイムの動画像の信号を送信し続ける。このとき、通信制御部１６０は、端末側認証処理部１１２から、動画像の信号と共に識別データも入力される。そのため、通信制御部１６０は、動画像の信号と共に識別データを送信する。
【００３６】
このように、携帯端末１００は、画像取得部１３０と、端末側認証処理部１１２と、通信制御部１６０とを備えることにより、動画像をリアルタイムで送信することができる。即ち、携帯端末１００は、いわゆるテレビ電話としての機能を備える。そして、このような携帯端末１００によれば、画像取得部１３０が、ユーザの動画像を取得する。そして、通信制御部１６０が、認証サーバ３００との間の接続が確立している間、画像取得部１３０が取得した動画像を認証サーバ３００に送信する。そのため、携帯端末１００は、携帯端末１００から送信されるユーザの動画像を用いて認証を行う認証サーバ３００による認証を受けることができる。よって、携帯端末１００のユーザは、携帯端末１００を第三者によって悪用されることを防止できる。又、携帯端末１００のユーザは、自分の位置する場所を問わずに画像を用いた認証を受けることができる。
【００３７】
又、通信制御部１６０は、画像取得部１３０が取得した登録画像を、認証サーバ３００に送信する。具体的には、通信制御部１６０は、画像取得部１３０が取得した登録画像を端末側登録処理部１１１が変換した信号を送信する。このようにして、携帯端末１００は、登録画像の登録処理を行うことができる。又、このとき、通信制御部１６０は、端末側登録処理部１１１から、登録画像の信号と共に識別データを入力される。そのため、通信制御部１６０は、登録画像の信号と共に識別データを送信する。このように、携帯端末１００は、登録画像と共に、識別データを認証サーバ３００に登録しておくことにより、第三者の不正をより困難にできる。
【００３８】
又、通信制御部１６０は、音声取得部１４０が取得した音声を認証サーバ３００やサーバ２１１に送信する。具体的には、通信制御部１６０は、音声取得部１４０が取得した音声を端末側処理部１１０が変換した信号を送信する。又、通信制御部１６０は、認証サーバ３００やサーバ２１１から送信された通知を受信する。通信制御部１６０は、受信した通知を端末側処理部１１０に入力する。
【００３９】
入力部１２０は、携帯端末１００のユーザによる入力を受け付ける。入力部１２０は、ユーザによる入力を受け付け可能であればよい。例えば、入力部１２０には、複数のボタンやキー等がある。入力部１２０は、ユーザの操作により入力された入力内容を、端末側処理部１１０に入力する。例えば、ユーザは、画像取得部１３０が取得した画像の中から、登録画像を選択し、入力部１２０に対して入力を行う。そして、入力部１２０が、入力されたユーザの操作内容を端末側登録処理部１１１に入力する。
【００４０】
音声取得部１４０は、ユーザの音声を取得する。音声取得部１４０は、取得した音声を端末側処理部１１０に入力する。音声取得部１４０には、例えばマイク等がある。尚、携帯端末１００は、認証サーバ３００により画像を利用した認証を受けるため、音声取得部１４０は必ずしも設ける必要はない。又、携帯端末１００が、携帯電話である場合には、通信制御部１６０が受信した音声を出力する音声出力部も備える。この場合には、端末側処理部１１０は、通信制御部１６０から入力される音声を、音声出力部に出力する。又、ユーザは、入力部１２０にかえて、音声取得部１４０に対して、音声により操作内容を入力するようにしてもよい。この場合、音声取得部１４０は、ユーザからの操作内容を端末側処理部１１０に入力する。
【００４１】
記憶部１５０は、各種情報を記憶する。記憶部１５０は、例えば、画像取得部１３０が取得した登録画像や、音声取得部１４０が取得した音声、ユーザの識別データを記憶する。記憶部１５０には、例えば、メモリ等がある。又、記憶部１５０は、登録画像や音声をディジタルデータで記憶する。
【００４２】
表示部１７０は、各種情報を表示する。表示部１７０は、例えば、画像取得部１３０が取得した画像や、通信制御部１６０が受信した認証サーバ３００やサーバ２１１からの通知、端末処理部１１０からのユーザに対する指示等を表示する。表示部１７０には、例えば、ＴＦＴ(Thin Film Transistor)液晶ディスプレイ装置等がある。
【００４３】
移動通信ネットワーク２００は、携帯端末１００と認証サーバ３００やサーバ２１１、端末とが通信を行うための通信路を提供する。図１に示すように、移動通信ネットワーク２００は、基地局２０１と、交換機２０２とを備える。基地局２０１は、無線電波を介して携帯端末１００と通信する。基地局２０１と交換機２０２とは、信号線を介して接続する。交換機２０２は、信号線を介して認証サーバ３００と接続し、認証サーバ３００と通信する。尚、交換機２０２は、他のネットワークを介して、認証サーバ３００と接続するようにしてもよい。
【００４４】
又、移動通信ネットワーク２００は、携帯端末１００から認証サーバ３００に送信される動画像を伝送可能なネットワークである。即ち、移動通信ネットワーク２００は、いわゆるテレビ電話を使用可能なネットワークである。具体的には、移動通信ネットワーク２００は、動画像をリアルタイムで送信する。即ち、移動通信ネットワーク２００は、動画像を許容遅延時間内で送信する。そのために、移動通信ネットワークは、動画像を許容遅延時間内で送信するだけの伝送速度を有する。又、移動通信ネットワーク２００には、回線交換方式のネットワークやパケット交換方式のネットワーク等がある。移動通信ネットワーク２００は、回線交換方式のネットワークが好ましい。
【００４５】
サーバ２１１は、携帯端末１００のユーザに各種サービスを提供するサーバである。サーバ２１１は、ネットワーク２１０を介して認証サーバ３００と接続する。ネットワーク２１０は、サーバ２１１と認証サーバ３００とが通信を行うための通信路を提供する。サーバ２１１は、認証サーバ３００を介して、携帯端末１００にサービスを提供する。即ち、サーバ２１１は、認証サーバ３００により、携帯端末１００のユーザ本人であると認められたユーザが使用する携帯端末１００に対してのみサービスを提供する。例えば、サーバ２１１は、商品の販売を行うオンラインショッピングのサービスを提供する。又、サーバ２１１は、自宅やビル等の建物に入ることを許可されている者か否かを判断して、建物の鍵の開閉を行うといったホームセキュリティやビルセキュリティに関するサービスを提供する。
【００４６】
サーバ２１１は、認証サーバ３００に対して、携帯端末１００のユーザの認証を要求する。例えば、サーバ２１１が商品の販売サービスを提供する場合には、ユーザが商品を購入するときに認証を要求する。又、サーバ２１１がホームセキュリティやビルセキュリティに関するサービスを提供する場合には、ユーザが建物に入ろうとするときに認証を要求する。即ち、サーバ２１１は、ユーザの動作等に応じて、認証が必要なときに認証サーバ３００に認証を要求する。
【００４７】
認証サーバ３００は、携帯端末１００のユーザの認証を行う認証システムである。認証サーバ３００は、携帯端末１００のユーザが本人か否かを判断する。認証サーバ３００は、移動通信ネットワーク２００を介して携帯端末１００と通信する。又、認証サーバ３００は、ネットワーク２１０を介してサーバ２１１と通信する。認証サーバ３００は、図１に示すように、通信制御部３１０と、サーバ側処理部３２０と、認証データベース（以下、「認証ＤＢ」と表す）３３０と、開始条件保持部３４０と、タイマ３５０と、入力部３６０とを備える。又、サーバ側処理部３２０は、サーバ側登録処理部３２１と、サーバ側認証処理部３２２とを備える。
【００４８】
認証ＤＢ３３０は、予め登録された携帯端末１００のユーザの登録画像を保持する登録画像保持部である。認証ＤＢ３３０は、ユーザの識別データと登録画像とを対応付けて保持する。このように、ユーザの識別データは、認証ＤＢ３３０においてキーとして用いることができる。認証ＤＢ３３０は、携帯端末１００から送信されたユーザの識別データと登録画像を保持する。認証ＤＢ３３０は、サーバ側登録処理部３２１から入力される識別データと登録画像を保持する。尚、認証ＤＢ３３０は、認証処理に用いるその他の情報を保持するようにしてもよい。
【００４９】
通信制御部３１０は、移動通信ネットワーク２００を介して携帯端末１００と通信を行う。通信制御部３１０は、携帯端末１００との間に接続を確立して、情報の送受信を行う。通信制御部３１０は、携帯端末１００から送信されるユーザの動画像を、移動通信ネットワーク２００を介して受信する。具体的には、通信制御部３１０は、認証時に携帯端末１００との間の接続が確立している間、携帯端末１００から送信されるリアルタイムの動画像の信号を受信し続ける。このとき、通信制御部３１０は、動画像の信号と共にユーザの識別データも受信する。通信制御部３１０は、受信したユーザの動画像と識別データを、サーバ側認証処理部３２２に入力する。
【００５０】
又、通信制御部３１０は、携帯端末１００から送信されるユーザの登録画像を、移動通信ネットワーク２００を介して受信する。具体的には、通信制御部３１０は、登録画像の登録時に携帯端末１００から送信される登録画像の信号を受信する。このとき、通信制御部３１０は、登録画像の信号と共にユーザの識別データも受信する。通信制御部３１０は、受信したユーザの登録画像と識別データを、サーバ側登録処理部３２１に入力する。更に、通信制御部３１０は、携帯端末１００に対する通知を、携帯端末１００に送信する。通信制御部３１０は、サーバ側処理部３２０から携帯端末１００に対する通知を入力される。又、通信制御部３１０は、サーバ側認証処理部３２２からの指示に従って、携帯端末１００との接続の切断を行う。
【００５１】
又、通信制御部３１０は、ネットワーク２１０を介してサーバ２１１と通信を行う。通信制御部３１０は、サーバ２１１からの携帯端末１００のユーザの認証の要求を受信する。通信制御部３１０は、受信した認証の要求を、サーバ側認証処理部３２２に入力する。又、通信制御部３１０は、サーバ２１１に対する通知を、サーバ２１１に送信する。通信制御部３１０は、サーバ側認証処理部３２２からサーバ２１１に対する通知を入力される。
【００５２】
サーバ側処理部３２０は、認証サーバ３００における各種の処理を行う。まず、サーバ側認証処理部３２２が、携帯端末１００のユーザの認証に関する処理を行う。サーバ側認証処理部３２２は、通信制御部３１０が受信した動画像と、認証ＤＢ３３０が保持する登録画像とを照合することによりユーザの認証を行う認証処理部である。サーバ側認証処理部３２２は、通信制御部３１０からユーザの動画像の信号と識別データを入力される。サーバ側認証処理部３２２は、認証時に携帯端末１００との間の接続が確立している間、通信制御部３１０からリアルタイムの動画像の信号を入力される。
【００５３】
サーバ側認証処理部３２２は、通信制御部３１０から入力される動画像の信号を動画像に変換する。又、サーバ側認証処理部３２２は、通信制御部３１０から入力される識別データに基づいて、認証ＤＢ３３０を検索する。サーバ側認証処理部３２２は、識別データ及び識別データに対応付けられている登録画像を、認証ＤＢ３３０から取得する。サーバ側認証処理部３２２は、認証ＤＢ３３０から取得した登録画像と、変換した動画像とを照合する。又、サーバ側認証処理部３２２は、通信制御部３１０が受信した識別データと、認証ＤＢ３３０から取得した識別データも照合する。サーバ側認証処理部３２２は、動画像と登録画像、受信した識別データと認証ＤＢ３３０が保持する識別データの両方が一致する場合には、携帯端末１００のユーザ本人と認められると判断する。サーバ側認証処理部３２２は、画像又は識別データのいずれか一方が一致しない場合には、ユーザ本人とは認められないと判断する。このように、サーバ側認証処理部３２２が、動画像と登録画像の照合だけでなく、識別データについても照合することにより、より正確な認証を行うことができ、安全性を向上できる。
【００５４】
サーバ側認証処理部３２２は、例えば、動画像から、あるタイミングで静止画像を取得する。そして、サーバ側認証処理部３２２は、動画像から取得した静止画像と登録画像とを照合する。これによれば、サーバ側認証処理部３２２は、動画像から取得した静止画像を用いて精度良く認証を行うことができる。尚、登録画像が、携帯端末１００から送信された動画像のまま認証ＤＢ３３０に格納されている場合には、サーバ側認証処理部３２２は、動画像の登録画像からも静止画像を取得する。そして、サーバ側認証処理部３２２は、認証時の動画像と登録画像の動画像から取得した静止画像同士を照合する。又、サーバ側認証処理部３２２は、認証時の動画像と登録画像の動画像同士を照合してもよい。
【００５５】
又、サーバ側認証処理部３２２は、動画像や登録画像がユーザの顔の画像である場合には、画像から顔の各部の形状認識を行う。そして、サーバ側認証処理部３２２は、認識した各部の形状が一致するか否かを判断して、画像の照合を行う。又、サーバ側認証処理部３２２は、動画像から複数の静止画像を取得することが好ましい。そして、サーバ側認証処理部３２２は、取得した複数の静止画像と登録画像とをそれぞれ照合する。これによれば、サーバ側認証処理部３２２は、照合の精度を向上させることができる。そのため、サーバ側認証処理部３２２は、より正確な認証を行うことができる。又、サーバ側認証処理部３２２は、動画像から、予め定められた一定数の静止画像を取得し、登録画像との照合を行うようにしてもよい。そして、サーバ側認証処理部３２２は、取得した複数の静止画像と登録画像が一致する割合が閾値以上の場合には、ユーザ本人と認めると判断し、閾値未満の場合には、ユーザ本人とは認められないと判断するようにしてもよい。
【００５６】
サーバ側認証処理部３２２は、まず、携帯端末１００が認証サーバ３００に接続してきた接続時に認証を行う。このとき、サーバ側認証処理部３２２は、携帯端末１００が通信制御部３１０と接続を確立し、動画像の送信を開始したときの動画像を用いて認証を行う。
【００５７】
更に、サーバ側認証処理部３２２は、開始条件保持部３４０が保持する開始条件に基づいて認証を行う。開始条件保持部３４０は、認証を開始する開始条件を保持する。開始条件保持部３４０には、予め認証を開始する開始条件が登録される。サーバ側認証処理部３２２は、開始条件保持部３４０から開始条件を取得し、取得した開始条件に基づいて認証を行う。
【００５８】
例えば、開始条件保持部３４０は、開始条件として、認証を開始する周期を保持する。周期は、一定周期でもよく、ランダムな周期であってもよい。この場合、サーバ側認証処理部３２２は、開始条件保持部３４０から開始条件として周期を取得する。又、サーバ側認証処理部３２２は、タイマ３５０から時間を取得する。サーバ側認証処理部３２２は、タイマ３５０から取得した時間を用いて、認証開始の周期を測定する。そして、サーバ側認証処理部３２２は、時間が開始条件の周期に達すると認証を開始する。尚、タイマ３５０は、サーバ側認証処理部３２２に時間を提供する。
【００５９】
又、開始条件保持部３４０は、開始条件として、認証を開始する事象を保持する。この場合、サーバ側認証処理部３２２は、開始条件保持部３４０から開始条件として、認証を開始する事象を取得する。そして、サーバ側認証処理部３２２は、その事象が発生したときに認証を開始する。例えば、開始条件保持部３４０は、動画像と登録画像及び識別データの照合結果が、ユーザ本人とは認められないという結果であった場合には、再度認証を行うといった開始条件を保持する。この場合には、サーバ側認証処理部３２２は、照合結果がユーザ本人とは認められないという結果のときに、再度認証を開始する。サーバ側認証処理部３２２は、再度認証を行う際に通信制御部３１０が受信している動画像を用いて再度認証を行う。又、開始条件保持部３４０は、ユーザの操作を、認証を開始する事象として保持するようにしてもよい。
【００６０】
これによれば、認証サーバ３００は、予め定められた認証を開始する開始条件に従って、自動的に認証を開始することができる。又、認証サーバ３００は、照合結果がユーザと認められない結果の場合に再度認証を行うことができる。しかも、認証サーバ３００は、再度認証を行う際に受信した動画像を用いて認証を行うため、再度認証を行う際に確実にユーザ本人であるかを確認できる。そのため、認証サーバ３００は、例えば、接続時に、ユーザ本人であると認められた場合であっても、接続時の画像が第三者に盗まれることにより、その後の操作を、第三者によって行われてしまうことを防止できる。
【００６１】
又、サーバ側認証処理部３２２は、認証の要求を受け付け、その要求に基づいて認証を行う。例えば、サーバ側認証処理部３２２は、サーバ２１１から認証の要求を受け付ける。サーバ側認証処理部３２２は、通信制御部３１０から、通信制御部３１０が受信したサーバ２１１からのユーザの認証の要求を入力されると、
認証を開始する。
【００６２】
更に、サーバ側認証処理部３２２は、入力部３６０からも認証の要求を受け付ける。入力部３６０は、認証サーバ３００のオペレータによる入力を受け付ける。入力部３６０は、オペレータによる入力を受け付け可能であればよい。例えば、入力部３６０には、複数のボタンやキー、マイク等がある。入力部３６０は、オペレータの操作により入力された入力内容を、サーバ側認証処理部３２２に入力する。例えば、オペレータが必要に応じて、或いは、第三者からの要求を受けて、入力部３６０に認証の要求を入力する。このように、認証サーバ３００は、認証の要求に応じて、認証を行うことができる。
【００６３】
サーバ側認証処理部３２２は、ユーザ本人と認められた場合には、携帯端末１００との接続をそのまま継続する。一方、サーバ側認証処理部３２２は、ユーザ本人と認められない場合は、携帯端末１００との接続を切断するように、通信制御部３１０に指示をする。このとき、認証サーバ３００は、認証結果に基づく通知を携帯端末１００に送信するようにしてもよい。その場合には、サーバ側認証処理部３２２が、認証結果に基づく通知を作成し、通信制御部３１０に入力する。例えば、サーバ側認証処理部３２２は、ユーザ本人と認められた場合には、認証完了通知を作成する。又、サーバ側認証処理部３２２は、ユーザ本人と認められない場合には、認証不可通知を作成する。又、サーバ側認証処理部３２２は、識別データに対応する登録画像が、認証ＤＢ３３０に存在しないために、認証を行うことができない場合には、登録されていない旨の通知や、ユーザに登録を促す通知を作成する。又、サーバ側認証処理部３２２は、送信している動画像の確認をユーザに促す通知を作成するようにしてもよい。
【００６４】
尚、認証サーバ３００は、表示部を備えるようにしてもよい。この場合、サーバ側認証処理部３２２は、変換した動画像を表示部に出力する。又、サーバ側認証処理部３２２は、認証ＤＢ３３０から取得した登録画像も表示部に出力する。そして、認証サーバ３００のオペレータが、表示部に表示された動画像と登録画像との照合を行う。オペレータは、入力部３６０から照合結果を入力する。そして、入力部３６０は、オペレータにより入力された照合結果をサーバ側認証処理部３２２に入力する。又、オペレータは、入力部３６０から携帯端末１００のユーザに対する質問を入力するようにしてもよい。入力部３６０は、オペレータにより入力された質問をサーバ側認証処理部３２２に入力する。サーバ側認証処理部３２２は、質問を通信制御部３１０に入力する。通信制御部３１０は、携帯端末１００に質問を送信する。そして、サーバ側認証処理部３２２は、質問に対する携帯端末１００からの応答も用いて、認証を行うようにしてもよい。
【００６５】
サーバ側登録処理部３２１は、ユーザの登録画像の登録に関する処理を行う。サーバ側登録処理部３２１は、通信制御部３１０が受信した登録画像を、認証ＤＢ３３０に登録する登録処理部である。サーバ側登録処理部３２１は、通信制御部３１０からユーザの登録画像の信号と識別データを入力される。サーバ側登録処理部３２１は、通信制御部３１０から入力される登録画像の信号を登録画像に変換する。又、サーバ側登録処理部３２１は、識別データと登録画像とを対応付けて、認証ＤＢ３３０に格納する。このようにして、サーバ側登録処理部３２１は、ユーザの登録画像を認証ＤＢ３３０に登録する。これによれば、認証サーバ３００は、登録画像の登録処理を行うことができる。しかも、認証サーバ３００は、登録画像と共に、識別データを登録しておくことができ、第三者の不正をより困難にできる。
【００６６】
尚、サーバ側登録処理部３２１は、携帯端末１００から送信された登録画像が動画像の場合には、動画像から静止画像を取得する。そして、サーバ側登録処理部３２１は、動画像から取得した静止画像を登録画像として認証ＤＢ３３０に格納する。サーバ側登録処理部３２１は、動画像から複数の静止画像を取得して認証ＤＢ３３０に格納してもよい。又、サーバ側登録処理部３２１は、携帯端末１００から送信された動画像のまま、認証ＤＢ３３０に格納してもよい。
【００６７】
このとき、認証サーバ３００は、登録に関する通知を携帯端末１００に送信するようにしてもよい。その場合には、サーバ側登録処理部３２１が、登録に関する通知を作成し、通信制御部３１０に入力する。例えば、サーバ側登録処理部３２１は、登録画像の登録が完了した際には、登録完了通知を作成する。又、サーバ側登録処理部３２１は、認証ＤＢ３３０に格納する前に、登録画像の確認を行うようにしてもよい。そして、サーバ側登録処理部３２１は、登録画像が鮮明でない場合や、登録画像を正常に受信できなかった場合等、登録画像が不適切な場合には、認証ＤＢ３３０に格納しないようにしてもよい。更に、サーバ側登録処理部３２１は、登録画像の再送を促す通知や、登録画像の受付を拒否する通知を作成するようにしてもよい。
【００６８】
尚、サーバ側登録処理部３２１とサーバ側認証処理部３２２とは独立に動作する。そのため、サーバ側登録処理部３２１とサーバ側認証処理部３２２とは、異なる認証サーバに設けてもよい。又、認証サーバ３００は、移動通信ネットワーク２００内に設けるようにしてもよい。又、認証システム１では、認証サーバ３００が、通信制御部３１０、サーバ側処理部３２０、認証ＤＢ３３０、開始条件保持部３４０、タイマ３５０、入力部３６０を全て備えているが、これらは、１つのサーバが備えずに、複数のサーバが分散して備えるようにしてもよい。
【００６９】
（認証方法）
次に、携帯端末１００と認証サーバ３００との間の処理について説明する。図２に、登録画像の登録処理の手順について、携帯端末１００が行う端末側登録処理と、認証サーバ３００が行う認証サーバ側登録処理とに分けて示す。
【００７０】
まず、端末側登録処理について説明する。携帯端末１００は、登録画像を取得する（Ｓ４１０）。具体的には、画像取得部１３０が登録画像を取得し、端末側登録処理部１１１が画像取得部１３０からの登録画像の入力を受け付ける（Ｓ４１１）。例えば、画像取得部１３０は、ユーザの画像を取得し、端末側登録処理部１１１に入力する。表示部１７０は、ユーザの画像を表示する。端末側登録処理部１１１は、ユーザに対して登録画像を決定するよう指示するメッセージを表示部１７０に出力する。そして、ユーザが、表示部１７０に表示された画像を見ながら、登録画像を選択して、入力部１２０に入力する。そして、端末側登録処理部１１１は、入力部１２０から入力されるユーザの操作に従って、画像取得部１３０から入力される静止画像又は動画像を取得する。
【００７１】
端末側登録処理部１１１は、取得した登録画像を記憶部１５０に格納する（Ｓ４１２）。端末側登録処理部１１１は、記憶部１５０に格納した登録画像と、ユーザに対する登録画像の確認の指示を表示部１７０に出力する（Ｓ４１３）。尚、ユーザは、ステップ（Ｓ４１３）において確認した登録画像を変更したい場合には、ステップ（Ｓ４１１）に戻り、再度登録画像の取得を行うようにしもよい。
【００７２】
次に、携帯端末１００は、認証サーバ３００との間の通信路を確保して、接続を確立する（Ｓ４２０）。具体的には、まず、通信制御部１６０は、認証サーバ３００に接続する（Ｓ４２１）。通信制御部１６０は、無線電波を介して基地局２０１に接続する。そして、通信制御部１６０は、基地局２０１、交換機２０２を介して認証サーバ３００に接続する。例えば、通信制御部１６０は、認証サーバ３００にダイヤルアップにより接続する。
【００７３】
次に、通信制御部１６０は、認証サーバ３００に通信開始要求を送信する（Ｓ４２２）。そして、通信制御部１６０は、認証サーバ３００から送信される要求受付を受信する。要求受付は、通信開始要求を受け付ける旨の応答である（Ｓ４２３）。尚、通信制御部１６０は、要求受付を受信できない場合には、ステップ（Ｓ４２２）に戻り、再度、通信開始要求を送信してもよい。
【００７４】
次に、携帯端末１００は、登録画像を送信する（Ｓ４３０）。具体的には、端末側登録処理部１１１が、画像取得部１３０から入力された画像を、移動通信ネットワーク２００を介して送信可能な信号に変換する。そして、通信制御部１６０が、端末側登録処理部１１１が変換した登録画像の信号と共に、記憶部１５０から取得したユーザの識別データを送信する（Ｓ４３１）。最後に、通信制御部１６０は、登録完了通知を受信し、登録処理を終了する（Ｓ４３２）。尚、携帯端末１００は、ステップ（Ｓ４３２）において、登録完了通知を受信できない場合には、登録画像を再送してもよい。
【００７５】
次に、認証サーバ側登録処理について説明する。まず、認証サーバ３００は、携帯端末１００との間の通信路を確保して、接続を確立する（Ｓ５１０）。具体的には、通信制御部３１０は、携帯端末１００から送信された通信開始要求を受信する（Ｓ５１１）。通信制御部３１０は、携帯端末１００との間の通信路を確保し、接続を確立する場合には、要求受付を携帯端末１００に送信する（Ｓ５１２）。尚、ステップ（Ｓ５１２）において、通信制御部３１０は、携帯端末１００からの通信開始要求が不正なアクセスと判断する場合には、要求受付を送信せずに、通信開始要求を拒絶してもよい。
【００７６】
次に、認証サーバ３００は、携帯端末１００から送信される登録画像を登録する（Ｓ５２０）。具体的には、まず、通信制御部３１０が、携帯端末１００から送信された登録画像と識別データを受信する（Ｓ５２１）。サーバ側登録処理部３２２は、通信制御部３１０が受信した登録画像を、識別データに対応付けて認証ＤＢ３３０に格納する（Ｓ５２２）。最後に、認証サーバ３００は、登録完了通知を携帯端末１００に送信し、登録画像の登録処理を終了する（Ｓ５２３）。尚、ステップ（Ｓ５２２）において、認証サーバ３００は、認証ＤＢ３３０に格納する前に登録画像の確認を行うようにしてもよい。そして、認証サーバ３００は、登録画像が不適切な場合には登録画像の再送を促す通知や、登録画像の受付を拒否する通知を、携帯端末１００に送信してもよい。
【００７７】
尚、ステップ（Ｓ４１０）とステップ（Ｓ４２０）は、順番を逆にしてもよい。又、ステップ（Ｓ４２０）、（Ｓ５１０）においては、携帯端末１００から通信開始要求を送信しているが、認証サーバ３００から通信開始要求を送信するようにしてもよい。
【００７８】
次に、図３に、認証処理の手順について、携帯端末１００が行う端末側認証処理と、認証サーバ３００が行う認証サーバ側認証処理とに分けて示す。まず、端末側認証処理について説明する。まず、携帯端末１００は、認証サーバ３００との間の通信路を確保して、接続を確立する（Ｓ６１０）。具体的には、携帯端末１００は、認証サーバ３００への接続（Ｓ６１１）、通信開始要求の送信（Ｓ６１２）、要求受付の受信（Ｓ６１３）を行う。ステップ（Ｓ６１１）〜（Ｓ６１３）は、図２に示したステップ（Ｓ４２１）〜（Ｓ４２３）と実質的に同様である。
【００７９】
次に、携帯端末１００は、動画像を取得する（Ｓ６２０）。具体的には、画像取得部１３０が、ユーザの動画像を取得し、端末側認証処理部１１２に入力する。このとき、表示部１７０は、ユーザの動画像を表示する。又、端末側認証処理部１１２は、ユーザに対して動画像を確認するよう指示するメッセージを表示部１７０に出力する。そして、ユーザは、表示部１７０に表示された動画像を見て、確認する。
【００８０】
次に、携帯端末１００は、動画像を認証サーバ３００に送信する（Ｓ６３０）。具体的には、端末側認証処理部１１２が、画像取得部１３０から入力された動画像を、移動通信ネットワーク２００を介して送信可能な信号に変換する。そして、通信制御部１６０が、端末側認証処理部１１２が変換した動画像の信号と共に、記憶部１５０から取得したユーザの識別データを送信する。
【００８１】
尚、ステップ（Ｓ６２０）及びステップ（Ｓ６３０）は、携帯端末１００が認証サーバ３００との接続を確立している間、常に行われている。即ち、携帯端末１００は、ユーザのリアルタイムの動画像を取得して、リアルタイムで認証サーバ３００に送信し続ける。
【００８２】
そして、携帯端末１００は、認証サーバ３００から、認証結果の通知を受信する（Ｓ６４０）。具体的には、携帯端末１００は、認証サーバ３００によって、ユーザ本人と認められた場合には、認証完了通知を受信する。そして、携帯端末１００は、認証サーバ３００によって、ユーザ本人と認められている間は、認証サーバ３００との接続を確立し続ける。一方、携帯端末１００は、認証サーバ３００によって、ユーザ本人と認められなかった場合には、認証不可通知を受信する。そして、携帯端末１００は、認証サーバ３００によって、接続が切断される。尚、携帯端末１００は、認証サーバ３００から、登録画像が登録されていない旨の通知や、ユーザに登録を促す通知を受信した場合には、登録画像の登録を行う。
【００８３】
次に、認証サーバ側認証処理について説明する。まず、認証サーバ３００は、携帯端末１００との間の通信路を確保して、接続を確立する（Ｓ７１０）。具体的には、認証サーバ３００は、通信開始要求の受信（Ｓ７１１）、要求受付の送信（Ｓ７１２）を行う。ステップ（Ｓ７１１）、（Ｓ７１２）は、図２に示したステップ（Ｓ５１１）〜（Ｓ５１２）と実質的に同様である。
【００８４】
次に、認証サーバ３００は、動画像を受信する（Ｓ７２０）。通信制御部３１０は、携帯端末１００との接続を確立している間、携帯端末１００から送信されるリアルタイムの動画像とユーザの識別データを受信し続ける。次に、認証サーバ３００は、通信制御部３１０が受信した動画像と、認証ＤＢ３３０が保持する登録画像とを照合する。又、認証サーバ３００は、通信制御部３１０が受信した識別データと、認証ＤＢ３３０から取得した識別データも照合する（Ｓ７３０）。
【００８５】
そして、認証サーバ３００は、認証結果の通知を携帯端末１００に送信する（Ｓ７４０）。具体的には、認証サーバ３００は、ユーザ本人と認められた場合には、認証完了通知を送信する。そして、認証サーバ３００は、ユーザ本人と認められる間は、携帯端末１００との接続を確立し続ける。一方、認証サーバ３００は、ユーザ本人と認められない場合には、認証不可通知を送信する。そして、認証サーバ３００は、携帯端末１００との接続を切断する。尚、認証サーバ３００は、識別データに対応する登録画像が、認証ＤＢ３３０に存在しないために、認証を行うことができない場合には、登録されていない旨の通知や、ユーザに登録を促す通知を携帯端末１００に送信する。
【００８６】
尚、ステップ（Ｓ６１０）とステップ（Ｓ６２０）は、順番を逆にしてもよい。又、ステップ（Ｓ６１０）、（Ｓ７１０）においては、携帯端末１００から通信開始要求を送信しているが、認証サーバ３００から通信開始要求を送信するようにしてもよい。
【００８７】
次に、図４を用いて、認証サーバ３００が、携帯端末１００との間の接続を確立している間に行う認証処理について説明する。図４では、携帯端末１００が、サーバ２１１が提供する商品の販売サービスを利用する場合を例にとって説明する。
【００８８】
携帯端末１００は、サーバ２１１のサービスを利用する際に、まず、認証サーバ３００に対して通信開始要求を送信する（Ｓ８０１）。認証サーバ３００は、携帯端末１００からの通信開始要求に対して、要求受付を送信する（Ｓ８０２）。これにより、携帯端末１００と認証サーバ３００との間に接続が確立する。携帯端末１００は、認証サーバ３００との接続が確立すると、動画像の送信を開始する（Ｓ８０３）。以降、携帯端末１００は、認証サーバ３００との接続が確立している間は、動画像を送信し続ける。
【００８９】
認証サーバ３００は、このように携帯端末１００が認証サーバ３００に接続してきた時に、認証を行う。認証サーバ３００は、接続時に受信したユーザのリアルタイムの動画像を用いて、認証を行う（Ｓ８０４）。認証サーバ３００は、ステップ（Ｓ８０４）において、ユーザ本人であると認められた場合には、そのまま携帯端末１００との接続を維持する。一方、認証サーバ３００は、ステップ（Ｓ８０４）において、ユーザ本人と認められない場合には、再度認証を行う。認証サーバ３００は、再度認証を行う時に受信したユーザのリアルタイムの動画像を用いて再度認証を行う（Ｓ８０５）。これは、開始条件保持部３４０が、動画像と登録画像及び識別データの照合結果が、ユーザ本人とは認められないという結果であった場合には、再度認証を行うという開始条件を保持しており、サーバ側認証処理部３２２が、その開始条件に基づいて再度認証を開始するためである。
【００９０】
認証サーバ３００は、ステップ（Ｓ８０５）において、ユーザ本人であると認められた場合には、そのまま携帯端末１００との接続を維持する。一方、認証サーバ３００は、ステップ（Ｓ８０５）において、ユーザ本人と認められない場合には、携帯端末１００との間の接続を切断する（Ｓ８０６）。
【００９１】
サーバ２１１では、認証サーバ３００により、携帯端末１００のユーザ本人であると認められたユーザが使用する携帯端末１００に対してのみ商品の内容等を送信し、サービスを開始する。この間も、携帯端末１００は、ユーザの動画像を認証サーバ３００に送信している。
【００９２】
開始条件保持部３４０は、開始条件として、認証を開始する周期も保持している。そのため、サーバ側認証処理部３２２は、開始条件保持部３４０から開始条件としてその周期を取得し、タイマ３５０から時間を取得する。そして、サーバ側認証処理部３２２は、時間が開始条件の周期に達すると、自動的に認証を開始する。認証サーバ３００は、開始条件の周期に達した時に受信したユーザのリアルタイムの動画像を用いて認証を行う（Ｓ８０７）。
【００９３】
認証サーバ３００は、ステップ（Ｓ８０７）において、ユーザ本人であると認められた場合には、そのまま携帯端末１００との接続を維持する。一方、認証サーバ３００は、ステップ（Ｓ８０７）において、ユーザ本人と認められない場合には、再度認証を行う（Ｓ８０８）。認証サーバ３００は、ステップ（Ｓ８０８）において、ユーザ本人であると認められた場合には、そのまま携帯端末１００との接続を維持する。一方、認証サーバ３００は、ステップ（Ｓ８０８）において、ユーザ本人と認められない場合には、携帯端末１００との間の接続を切断する（Ｓ８０９）。
【００９４】
その後、サーバ２１１は、携帯端末１００のユーザが商品を購入しようとした時に、認証サーバ３００に対してユーザの認証を要求する。認証サーバ３００は、サーバ２１１からの認証の要求を受け付ける。そして、認証サーバ３００は、ユーザの認証を開始する。認証サーバ３００は、サーバ２１１からの要求を受け付けた時に受信したユーザのリアルタイムの動画像を用いて認証を行う（Ｓ８１０）。尚、認証サーバ３００は、ユーザが商品を購入する操作を行った際に、認証を開始するという開始条件を、開始条件保持部３４０に登録しておくことによっても、ユーザが商品を購入しようとした時に認証を開始することができる。又、認証サーバ３００は、ユーザが商品を購入するときに、認証サーバ３００のオペレータによって、入力部３６０から認証の要求を入力してもらうことによっても、ユーザが商品を購入しようとした時に認証を開始することができる。
【００９５】
認証サーバ３００は、ステップ（Ｓ８１０）において、ユーザ本人であると認められた場合には、そのまま携帯端末１００との接続を維持する。一方、認証サーバ３００は、ステップ（Ｓ８１０）において、ユーザ本人と認められない場合には、再度認証を行う（Ｓ８１１）。認証サーバ３００は、ステップ（Ｓ８１１）において、ユーザ本人であると認められた場合には、そのまま携帯端末１００との接続を維持する。一方、認証サーバ３００は、ステップ（Ｓ８１１）において、ユーザ本人と認められない場合には、携帯端末１００との間の接続を切断する（Ｓ８１２）。
【００９６】
このように、認証サーバ３００の通信制御部３１０は、携帯端末１００と接続が確立している間は、ユーザの動画像を受信し続ける。そのため、認証サーバ３００のサーバ側認証処理部３２１は、常に、ユーザの認証を行うことができる。よって、認証サーバ３００は、携帯端末１００が、認証サーバ３００に接続してきたステップ（Ｓ８０４）の時だけでなく、ステップ（Ｓ８０７）、（Ｓ８１０）のように、その後も、ユーザ本人であるか否かを確認することができる。
【００９７】
そのため、認証サーバ３００は、接続時に、ユーザ本人であると認められた場合であっても、接続時の画像が第三者に盗まれることにより、その後の商品を購入するといった操作を、第三者によって行われてしまうことを防止できる。又、認証サーバ３００は、ユーザが商品を購入する時のように認証を行いたい時に、いつでも認証を行うことができる。よって、認証サーバ３００によれば、対面販売と同様の効果を得ることができる。
【００９８】
しかも、携帯端末１００は、認証サーバ３００との接続が確立している間は、常に動画像を送信している。そのため、携帯端末１００は、認証サーバ３００が認証や再認証を行う時に、認証サーバ３００からの要求を受けて何らかの操作を行う必要がない。尚、ステップ（Ｓ８０５）、（Ｓ８０８）、（Ｓ８１１）では、認証サーバ３００は、再認証を１回しか行っていないが、複数回数再認証を行うようにしてもよい。
【００９９】
（効果）
このような認証システム１、認証サーバ３００、携帯端末１００及び認証方法によれば、認証ＤＢ３３０が、予め登録された携帯端末１００のユーザの登録画像を保持する。又、通信制御部３１０が、携帯端末１００から送信されたユーザの動画像を受信する。そして、サーバ側認証処理部３２２が、通信制御部３１０が受信した動画像と認証ＤＢ３３０が保持する登録画像とを照合することによりユーザの認証を行う。
【０１００】
そのため、認証サーバ３００は、携帯端末１００から送信されるユーザの動画像を用いて、確実にユーザ本人であるか否かを判断できる。よって、認証サーバ３００は、非常に安全性が高く、携帯端末１００を第三者によって悪用されることを防止できる。よって、認証サーバ３００は、従来のようにパスワードが第三者によって利用され、第三者を本人と認証してしまうことを防止できる。更に、通信制御部３１０は、携帯端末１００から送信された動画像を受信する。そのため、認証サーバ３００は、認証の対象者が存在する場所を問わずに画像を用いた認証ができる。よって、認証の対象者が存在する場所毎にカメラを設置する必要もない。
【０１０１】
尚、本発明は、上記実施の形態に限定されるものではなく、種々の変更が可能である。
【０１０２】
【発明の効果】
以上説明したように、本発明によれば、安全性が高く、認証の対象者が存在する場所を問わずに画像を用いた認証を行うことができる認証システム及び認証方法を提供することができる。
【図面の簡単な説明】
【図１】本発明の実施の形態に係る認証システムの構成を示すブロック図である。
【図２】本発明の実施の形態に係る登録画像の登録処理の手順を示すフロー図である。
【図３】本発明の実施の形態に係る認証処理の手順を示すフロー図である。
【図４】本発明の実施の形態に係る認証処理を説明するシーケンス図である。
【符号の説明】
１  認証システム
１００  携帯端末
１１０  端末側処理部
１１１  端末側登録処理部
１１２  端末側認証処理部
１２０  入力部
１３０  画像取得部
１４０  音声取得部
１５０  記憶部
１６０  通信制御部
１７０  表示部
２００  移動通信ネットワーク
２０１  基地局
２０２  交換機
２１０  ネットワーク
２１１  サーバ
３００  認証サーバ
３１０  通信制御部
３２０  サーバ側処理部
３２１  サーバ側登録処理部
３２２  サーバ側認証処理部
３３０  認証ＤＢ
３４０  開始条件保持部
３５０  タイマ
３６０  入力部
【図１】
0003975156.tif 000002
【図２】
0003975156.tif 000003
【図３】
0003975156.tif 000004
【図４】
0003975156.tif 000005